(57)【要約】      （修正有）【課題】曳縄漁における漁師の作業負担を軽減できる技術的手段を提供する。【解決手段】漁具本体１２は、曳縄の各擬似餌の針のフック部を丸棒５に掛け且つ針の本体部を磁石Ｚに吸着させて各擬似餌を丸棒５上に保持する。そして、投縄時には、漁具本体１２の丸棒５における支持棒３に支持されている側の反対側の先端部を海に向けて浮き球Ｂを海に投げ入れる。浮き球Ｂを海に投げ入れると、丸棒５上に保持されている針が幹糸及び釣糸に引っ張られて丸棒５上を丸棒５の先端部に向かって摺動し、先端部に達したものから順に海に落下する。【選択図】図１
0003182965.tif 000002
【実用新案登録請求の範囲】
【請求項１】
上方に向かって延在する支持棒と、
前記支持棒に支持された針保持体であって、前記支持棒に支持された部分から水平方向に向かって延在し、磁性を帯びた部分を含む針保持体と
を具備し、
曳縄の各釣糸の先端に固定された針の各々を、当該針のフック部を前記針保持体に掛け且つ当該針の本体部を前記針保持体における磁性を帯びた部分に吸着させて前記針保持体上に保持するように構成されていることを特徴とする曳縄漁用の漁具。
【請求項２】
上方に向かって延在する支持棒と、
前記支持棒に支持された丸棒であって、前記支持棒に支持された部分から水平方向に向かって延在する丸棒と、
前記丸棒の側面から当該丸棒の半径方向外側に向かって突出した支持板と、
前記支持板における厚み方向に対向する両面のうち一方の面に固定された針保持板であって、間隔をあけて水平方向に並ぶ複数個の孔が設けられた針保持板と
前記複数個の孔に埋め込まれた磁石と
を具備し、
曳縄の各釣糸の先端に固定された針の各々を、当該針のフック部を前記丸棒に掛け且つ当該針の本体部を前記磁石に吸着させて前記丸棒上に保持するように構成されていることを特徴とする曳縄漁用の漁具。
【請求項３】
漁船に載置または固定される台座を有し、
前記支持棒は、当該支持棒の中心軸の軸回りに回転し得るようにして前記台座に支持されていることを特徴とする請求項２に記載の曳縄漁用の漁具。
【請求項４】
前記支持棒の先端には水平方向に延在する孔を有する連結部が設けられており、
前記丸棒における前記支持板が突出していない部分が前記連結部の孔内における軸周り方向の回転角度を調整し得るようにして前記連結部の孔内に挿入されていることを特徴とする請求項３に記載の曳縄漁用の漁具。
【請求項５】
前記丸棒は、前記支持板が突出した丸棒中央部の一端側と他端側に２つの丸棒縁部を全体として一直線状となるように連結したものであり、
前記２つの丸棒縁部のうち任意の一方を前記連結部の孔内に嵌め込めるように構成されていることを特徴とする請求項４に記載の曳縄漁用の漁具。
【請求項６】
前記丸棒における丸棒中央部と２つの丸棒縁部はネジ機構または磁石により着離し得るように構成されていることを特徴とする請求項５に記載の曳縄漁用の漁具。
【請求項７】
前記台座は、円環状の基台部と前記基台部から上方に向かって延在する支柱部とを有し、前記支柱部に前記支持棒が支持されていることを特徴とする請求項６に記載の曳縄漁用の漁具。
【請求項８】
各々が、前記支持棒、前記丸棒、前記支持板、前記針保持板、及び前記磁石からなるＮ（Ｎは２以上の整数）個の漁具本体が前記台座に支持されており、前記Ｎ個の漁具本体の支持棒における丸棒を支持する部分の上下方向の位置が漁具本体毎に異なっていることを特徴とする請求項６に記載の曳縄漁用の漁具。
【考案の詳細な説明】
【技術分野】
【０００１】
この考案は、曳縄漁において利用される漁具に関する。
【背景技術】
【０００２】
太刀魚、鯵、鯖、鮪などを捕獲する漁法の一つに曳縄漁がある。曳縄漁は、幹糸、釣糸、針で構成される仕掛けにより収穫物を得る漁法である。図７は、曳航中の曳縄の様子を示す図である。図７に示すように、曳縄漁では、幹糸ＲＴが所定の水深に設定されるように漁船１００から曳縄用ワイヤーＷが繰り出される。曳縄用ワイヤーＷの先端には分銅Ｄが固定されている。海中における幹糸ＲＴは、先端部の浮き球Ｂおよび中央部の浮き球Ｃによって支持される。釣糸ＲＢの先端部には針Ｈ及びこの針Ｈと一体化された擬似餌Ｆが固定される。曳縄漁では、幹糸ＲＴをこの状態で海中にしばらく放置した後、漁船１００の揚縄機により船上に引き上げ、擬似餌Ｆの針Ｈに掛かった魚を針Ｈから外して魚箱に格納する。曳縄漁に関わる技術を開示した文献として、たとえば、特許文献１がある。
【先行技術文献】
【特許文献】
【０００３】
【特許文献１】実開平０５−０５１０６８号公報
【考案の概要】
【考案が解決しようとする課題】
【０００４】
ところで、これまでの曳縄漁では、図８に示すように、曳縄をその擬似餌Ｆの針Ｈを丸桶ＢＸの上縁を一巡させるようにして掛けて丸桶ＢＸ内に収納し、漁師がこの擬似餌Ｆの一つ一つを掴んで海に投げ入れる、というようにして投縄が行われていた。このため、曳縄漁の投縄は作業に時間がかかり、漁師の作業負担も大きかった。また、擬似餌Ｆを海に投げ入れると針Ｈを海に落ちるまでの間に回転してしまう場合があり、この回転により針Ｈのフック部分がその基端の部分の釣糸ＲＢに絡まってしまうという問題があった。
【０００５】
本考案は、このような課題に鑑みてなされたものであり、曳縄漁における漁師の作業負担を軽減できる技術的手段を提供することを目的とする。
【課題を解決するための手段】
【０００６】
上記課題を解決するため、本考案の好適な態様である曳縄漁用の漁具は、上方に向かって延在する支持棒と、前記支持棒に支持された針保持体であって、前記支持棒に支持された部分から水平方向に向かって延在し、磁性を帯びた部分を含む針保持体とを具備し、曳縄の各釣糸の先端に固定された針の各々を、当該針のフック部を前記針保持体に掛け且つ当該針の本体部を前記針保持体における磁性を帯びた部分に吸着させて前記針保持体上に保持するように構成されていることを特徴とする。
【０００７】
この考案では、曳縄における幹糸の先端の浮きを海に投げ入れると、針保持体上の各針が幹糸及び釣糸を介して隣の針に引っ張られて針保持体上を摺動し、針保持体の先端部に達したものから順に海に落下する。よって、漁師は、針及び擬似餌を一つ一つ掴んで海に投げ入れる、といった煩わしい作業をせずに投縄を行うことができる。従って、曳縄漁における漁師の作業負担を軽減することができる。
【０００８】
本考案の別の好適な態様である曳縄漁用の漁具は、上方に向かって延在する支持棒と、前記支持棒に支持された丸棒であって、前記支持棒に支持された部分から水平方向に向かって延在する丸棒と、前記丸棒の側面から当該丸棒の半径方向外側に向かって突出した支持板と、前記支持板における厚み方向に対向する両面のうち一方の面に固定された針保持板であって、間隔をあけて水平方向に並ぶ複数個の孔が設けられた針保持板と、前記複数個の孔に埋め込まれた磁石とを具備し、曳縄の各釣糸の先端に固定された針の各々を、当該針のフック部を前記丸棒に掛け且つ当該針の本体部を前記磁石に吸着させて前記丸棒上に保持するように構成されていることを特徴とする。
【０００９】
この考案では、曳縄における幹糸の先端の浮きを海に投げ入れると、丸棒上の各針が幹糸及び釣糸を介して隣の針に引っ張られて丸棒上を丸棒の先端部に向かって摺動し、先端部に達したものから順に海に落下する。よって、漁師は、針及び擬似餌を一つ一つ掴んで海に投げ入れる、といった煩わしい作業をせずに投縄を行うことができる。従って、曳縄漁における漁師の作業負担を軽減することができる。
【００１０】
また、この考案では、丸棒上の各針は、各々の基端が固定されている釣糸に引っ張られて海に落下する。このため、海面に到達するまでの間に針が釣糸の側に回り込んで針が釣糸に絡まることがなくなる。よって、投縄時に針が他の釣糸に絡まって魚が掛かり難くなる、という事態の発生を防止することができる。
【００１１】
また、本考案の漁具は、漁船に載置される台座を有し、支持棒は、当該支持棒の中心軸の軸回りに回転し得るようにして台座に支持されていてもよい。これによると、漁師は、投縄時には丸棒の先端部を海の側に向け、揚縄時には丸棒の先端部を船の甲板側に向ける、といった操作を簡単に行うことができる。よって、投縄時および揚縄時の作業をより効率的に行うことができる。
【００１２】
また、本考案の漁具は、支持棒の先端には水平方向に延在する孔を有する連結部が設けられており、丸棒における支持板が突出していない部分が連結部の孔内における軸周り方向の回転角度を調整し得るようにして連結部の孔内に挿入されていてもよい。これによると、漁師は、揚縄時には針保持板における磁石が露出した面が上向きになるように丸棒を回転させる、といった操作を簡単に行うことができる。従って、漁師は、揚縄時における丸棒への針の係止をより効率的に行うことができる。
【００１３】
また、本考案の漁具では、丸棒は、支持板が突出した丸棒中央部の一端側と他端側に２つの丸棒縁部を全体として一直線状となるように連結し、２つの丸棒縁部のうち任意の一方を連結部の孔内に嵌め込めるように構成してもよい。これによると、船の甲板の左側に漁具を置いて揚縄作業を行う場合には丸棒の一端側を連結部の孔内に挿入し、船の甲板の右側に漁具を置いて揚縄作業を行う場合には丸棒の他端側を連結部の孔内に挿入し、というように、針保持板における磁石が露出した面を自身の揚縄作業がやりやすい向きにすることができる。
【００１４】
また、本考案の漁具では、丸棒における丸棒中央部と２つの丸棒縁部はネジ機構または磁石により着離し得るようにしてもよい。ここで、曳縄漁では、投縄作業と揚縄作業は地域によっても異なり、投縄作業と揚縄作業を漁船の甲板における後部の位置で行う地域もあれば、投縄作業は漁船の甲板における後部の位置で行い、揚縄作業は漁船の甲板における前部や後部の位置で行う地域もある。本考案では、丸棒における中央部と縁部のネジを緩めてこれらを分離することにより、嵩張らずに持ち運ぶことができる。よって、この考案によると、投縄及び揚縄の作業間の漁具の持ち運びを効率よく行うこともできる。
【００１５】
また、本考案の漁具では、漁具の台座は、円環状の基台部と基台部から上方に向かって延在する支柱部とを有し、支柱部に前記支持棒が支持されていてもよい。これによると、基台部の中に丸桶を置き、この丸桶内に幹糸や釣糸を纏めて納めておく、といった使い方ができる。従って、甲板上の狭いスペースを有効に活用して投縄前の仕掛けを整然と管理することができる。
【００１６】
また、本考案の漁具では、各々が１つの丸棒を支持するＮ（Ｎは２以上の整数）個の支持棒が台座に支持されており、Ｎ個の支持棒における前記丸棒を支持する部分の上下方向の位置が異なっていてもよい。これによると、一方の漁具本体を他方の漁具本体に向けたとしても両者が干渉し合うことがない。従って、より多くの針が付けられた仕掛けを整然と保持することができる。
【図面の簡単な説明】
【００１７】
【図１】本考案の第１実施形態である曳縄漁用の漁具の正面図である。
【図２】図１を矢印Ａ方向から見た図である。
【図３】図１の漁具の漁具本体を矢印Ｂ方向から見た図である。
【図４】図１の漁具の使用のされ方を示す図である。
【図５】本考案の第２実施形態である曳縄漁用の漁具の正面図である。
【図６】図５を上方向から見た図である。
【図７】曳縄漁における曳縄の仕掛けを示す図である。
【図８】従来の曳縄漁における投縄前の針の収納のされ方を説明するための図である。
【考案を実施するための形態】
【００１８】
以下、図面を参照しつつ本考案の実施形態について説明する。
＜第１実施形態＞
図１は、本考案の第１実施形態である曳縄漁用の漁具１０の正面図である。図２は、図１を矢印Ａ方向から見た図である。この漁具１０は、太刀魚の曳縄漁に利用されるものである。漁具１０は、台座１１と漁具本体１２とからなる。台座１１は、基台部１とこの基台部１から上方に向かって延在する支柱部２とを有する。台座１１の基台部１は、円環状をなしている。基台部１は、支柱部２が起立している側と反対側の面を漁船１００（図７）の甲板に向けて漁船１００に載置される。台座１１の支柱部２は、高さＨ２（例えば、Ｈ２＝３５０ｍｍ）と直径φ２（例えば、φ２＝１２ｍｍ）の寸法を持った円筒状をなしている。支柱部２には、その上面を開口とする穴２’が設けられている。支柱部２の穴２’は、直径φ２’（例えば、φ２’＝１０ｍｍ）の寸法を有している。
【００１９】
図３は、図１における漁具本体１２を矢印Ｂ方向から見た図である。漁具本体１２は、支持棒３とこの支持棒３に連結部４を介して支持された丸棒５と、丸棒５の側面から丸棒５の半径方向外側に向かって突出した支持板６と、支持板６上に固定された針保持板７とを有する。漁具本体１２における丸棒５、支持板６、及び針保持板７は、曳縄の各釣糸ＲＢの先端部に固定された針Ｈを保持する針保持体を構成する。より詳細に説明すると、支持棒３は、直径φ３（φ３＝φ２’）、長さＨ３（例えば、Ｈ３＝８４５ｍｍ）の寸法を持った円柱状をなしている。支持棒３は支柱部２の上端面の開口から支柱部２の穴２’に挿入されている。支持棒３の下端は支柱部２の穴２’の底に接している。ここで、支持棒３における穴２’内に挿入された部分は、弱い摩擦力を持って穴２’の内周面に接している。このため、漁具本体１２は、支持棒３の中心軸の軸周りに回転し得る。
【００２０】
支持棒３の上端には連結部４が固定されている。連結部４は、直径φ４（例えば、φ４＝１５ｍｍ）、長さＬ４（例えば、Ｌ４＝５０ｍｍ）の寸法を持った円筒状をなしている。連結部４の孔４’は同部４を長さＬ４方向に貫いている。連結部４の側面とその孔４’の内周面との間には長さＬ４方向に離間した２つの孔Ｘ１、Ｘ２が穿設されている。連結部４の孔４’には丸棒５が嵌め込まれている。丸棒５は、丸棒中央部５１の一端側と他端側に丸棒縁部５２Ｌ、５２Ｒを全体として一直線状となるように連結したものである。
【００２１】
中央部５１は、直径φ５（例えば、φ５＝１２ｍｍ）、長さＬ５（例えば、Ｌ５＝８００ｍｍ）の寸法を持った円柱状をなしている。縁部５２Ｌ、５２Ｒは、直径φ５、長さＬ５’（例えば、Ｌ５’＝３１１ｍｍ）の寸法を持った円柱状をなしている。中央部５１は中空になっている。縁部５２Ｌ、５２Ｒは中実になっている。
【００２２】
図１の吹き出し枠内に示すように、中央部５１の一端部と他端部にはネジＳＣが形成されている。縁部５２Ｌの一端部にはネジ穴ＳＣ’が形成されている。縁部５２Ｒの一端部にはネジ穴ＳＣ’が形成されている。中央部５１の一端部のネジＳＣは縁部５２Ｌのネジ穴ＳＣ’に嵌め込まれており、中央部５１の他端部のネジＳＣは縁部５２Ｒのネジ穴ＳＣ’に嵌め込まれている。縁部５２Ｌにおける中央部５１に連結されている側と反対側の端部よりも僅かに内側には直径φ５”（例えば、φ５”＝２ｍｍ）の孔５３Ｌが穿設されている。縁部５２Ｒにおける中央部５１に連結されている側と反対側の端部よりも僅かに内側には直径φ５”（例えば、φ５”＝２ｍｍ）の孔５３Ｒが穿設されている。
【００２３】
丸棒５の中央部５１の側面上には同面に接合された支持板６がある。支持板６は、丸棒５の中央部５１の側面から丸棒５の半径方向外側に向かって突出している。支持板６は、長さＬ６（例えば、Ｌ６＝７９１ｍｍ）、幅Ｈ６（例えば、Ｈ６＝２４ｍｍ）、及び厚さＷ６（例えば、Ｗ６＝２ｍｍ）の寸法を持った金属製の板である。支持板６における一端及び他端の僅かに内側の位置には直径φ６”（φ６”＝φ５”）の孔６１Ｌ及び６１Ｒが穿設されている。
【００２４】
支持板６における厚みＷ６方向の両面６５及び６６のうち一方の面６５の側には針保持板７がある。針保持板７は、長さＬ７（例えば、Ｌ７＝７７１ｍｍ）、幅Ｈ７（例えば、Ｈ７＝２０ｍｍ）、厚さＷ７（例えば、Ｗ７＝５ｍｍ）の寸法を持ったポリ塩化ビニル製の板である。針保持板７には同じ間隔Ｈ７’（例えば、Ｈ７’＝１７ｍｍ）をあけて長さＬ７方向に並ぶ４４個の孔７１−ｍ（ｍ＝１〜４４）が穿設されている。これらの孔７１−ｍ（ｍ＝１〜Ｍ）は針保持板７における厚みＷ７方向の両面７５及び７６間を貫いている。
【００２５】
針保持板７の孔７１−ｍ（ｍ＝１〜Ｍ）には磁石Ｚが埋め込まれている。針保持板７における支持板６に接合された側と反対の面７５とその孔７１−ｍ（ｍ＝１〜４４）内の磁石Ｚの露出面は面一になっている。そして、針保持板７の面７５と磁石Ｚは錆防止フィルムによりコーティングされている。針保持板７の面７５の下縁側の部分は三角柱状に切り欠かれてテーパ面７７を形成している。
【００２６】
丸棒５における２つの縁部５２Ｌ、５２Ｒのうち任意の一方の縁部（図１及び２の例では、縁部５２Ｌ）は連結部４の孔４’内に挿入されている。連結部４の孔Ｘ１、Ｘ２にはネジＹが締結されている。丸棒５における中央部５１と連結部４の孔４’内に挿入されていない方の縁部５２Ｌまたは５２Ｒ（図１及び２の例では、縁部５２Ｒ）は、支持棒３に連結部４を介して支持された部分を基端として水平方向に延在している。ここで、丸棒５の縁部５２Ｌが連結部４の孔４’内に挿入された状態において、ネジＹの先端は連結部４の孔Ｘ１、Ｘ２内を丸棒５の側面を支持している。また、丸棒５の縁部５２Ｌ（または５２Ｒ）における孔４’内に挿入された部分は、弱い摩擦力を持って孔４’の内周面に接している。このため、連結部４の孔Ｘ１、Ｘ２内のネジＹを緩め、丸棒５を軸回りに回転させた上でネジＹを締め直すことにより、丸棒５の孔４’内における軸回り方向の回転角度を調整し得る。
【００２７】
ここで、本実施形態では、図４に示すように、投縄前には、曳縄の各擬似餌Ｆの針Ｈのフック部８を丸棒５に掛け且つ針Ｈの本体部９を磁石Ｚに吸着させて各針Ｈの丸棒５上に保持するとともに幹糸ＲＴの先端の浮き球Ｂの針Ｈを丸棒５における連結部４に支持された側と反対側の孔に引っ掛けて浮き球Ｂを保持した状態にしておく。また、台座１１の基台部１の内側に丸桶ＢＸを置き、幹糸ＲＴ及び釣糸ＲＢを丸桶ＢＸの中に収めておく。そして、投縄時には、漁具本体１２の丸棒５における支持棒３に支持されている側の反対側の先端部を海に向けて浮き球Ｂを海に投げ入れる。浮き球Ｂを海に投げ入れると、丸棒５上に保持されている針Ｈ及び擬似餌Ｆが幹糸ＲＴ及び釣糸ＲＢに引っ張られて丸棒５上を丸棒５の先端部に向かって摺動し、先端部に達したものから順に海に落下する。
【００２８】
以上が、本実施形態の構成の詳細である。本実施形態によると、次の効果が得られる。
第１に、本実施形態では、曳縄における幹糸ＲＴの先端部を海に投げ入れると、丸棒５上の各針Ｈが幹糸ＲＴ及び釣糸ＲＢを介して隣の針Ｈに引っ張られて丸棒５上を丸棒５の先端部に向かって摺動し、先端部に達したものから順に海に落下する。よって、本実施形態によると、漁師は、針Ｈ及び擬似餌Ｆを一つ一つ掴んで海に投げ入れる、といった煩わしい作業をせずに投縄を行うことができる。従って、本実施形態によると、曳縄漁における漁師の作業負担を軽減することができる。
【００２９】
また、本実施形態では、丸棒５上の各針Ｈは、各々の基端が固定されている釣糸ＲＢに引っ張られて海に落下する。このため、海面に到達するまでの間に針Ｈが釣糸ＲＢの側に回り込んで針Ｈが釣糸ＲＢに絡まることがなくなる。よって、本実施形態によると、投縄時に針Ｈが釣糸ＲＢに絡まって魚が掛かり難くなる、という事態の発生を防止することができる。
【００３０】
第２に、本実施形態では、曳縄漁用の漁具１０は、漁船１００に載置される台座１１を有し、支持棒３は、当該支持棒３の中心軸の軸回りに回転し得るようにして台座１１に支持されている。よって、漁師は、投縄時には丸棒５の先端部を海の側に向け、揚縄時には丸棒５の先端部を船の甲板側に向けるといった操作を簡単に行うことができる。従って、本実施形態によると、投縄時および揚縄時の作業をより効率的に行うことができる。
【００３１】
第３に、本実施形態では、支持棒３の先端には水平方向に延在する孔４’を有する連結部４が設けられており、丸棒５における支持板６が突出していない部分が連結部４の孔４’内における軸周り方向の回転角度を調整し得るようにして連結部４の孔４’内に挿入されている。よって、漁師は、揚縄時には針保持板７における磁石Ｚが露出した面が上向きになるように丸棒５を回転させる、といった操作を簡単に行うことができる。従って、本実施形態によると、漁師は、揚縄時における丸棒５への針Ｈの係止をより効率的に行うことができる。
【００３２】
第４に、本実施形態では、丸棒５は、支持板６が突出した丸棒中央部５１の一端側と他端側に２つの丸棒縁部５２Ｌ、５２Ｒを全体として一直線状となるように連結したものとなっており、２つの丸棒縁部５２Ｌ、５２Ｒのうち任意の一方を連結部４の孔４’内に嵌め込めるように構成されている。このため、本実施形態では、漁船１００の甲板の左側に漁具１０を置いて揚縄作業を行う場合には丸棒５の一端側を連結部４の孔４’内に挿入し、漁船１００の甲板の右側に漁具１０を置いて揚縄作業を行う場合には丸棒５の他端側を連結部４の孔４’内に挿入し、というように、針保持板７における磁石Ｚが露出した面を自身の揚縄作業がやりやすい向きにすることができる。
【００３３】
第５に、本実施形態では、丸棒５における丸棒中央部５１と２つの丸棒縁部５２Ｌ、５２Ｒはネジ機構により着離し得るように構成されている。ここで、曳縄漁では、投縄作業と揚縄作業は地域によっても異なり、投縄作業と揚縄作業を漁船１００の甲板における後部の位置で行う地域もあれば、投縄作業は漁船１００の甲板における後部の位置で行い、揚縄作業は漁船１００の甲板における前部や後部の位置で行う地域もある。本実施形態では、丸棒５における中央部５１と縁部５２Ｌ、５２Ｒの連結部のネジを緩めてこれらを分離することにより、嵩張らずに持ち運ぶことができる。よって、本実施形態によると、投縄及び揚縄の作業間の漁具１０の持ち運びを効率よく行うこともできる。
【００３４】
第６に、本実施形態では、漁具１０の台座１１は、円環状の基台部１と基台部１から上方に向かって延在する支柱部２とを有し、支柱部２に支持棒３が支持されている。このため、本実施形態によると、基台部１の中に丸桶ＢＸを置き、この丸桶ＢＸ内に幹糸ＲＴや釣糸ＲＢを纏めて納めておく、といった使い方ができる。従って、本実施形態によると、甲板上の狭いスペースを有効に活用して投縄前の仕掛けを整然と管理することができる。
【００３５】
＜第２実施形態＞
図５は、本考案の第２実施形態である曳縄漁用の漁具１０Ａの正面図である。図６は、図５を上方向から見た図である。図５及び図６に示すように、この漁具１０では、Ｎ（Ｎは２以上の整数、図５及び図６の例ではＮ＝２）個の漁具本体１２Ａ及び１２Ａ’が台座１１に支持されている。
【００３６】
より詳細に説明すると、この漁具１０Ａの台座１１Ａは、台形状の基台部１Ａに２つの支柱部２Ａ及び２Ａ’を設けたものである。
【００３７】
漁具本体１２Ａは、支持棒３Ａと、支持棒３Ａに連結部４Ａを介して支持された丸棒５Ａと、丸棒５Ａの側面から丸棒５Ａの半径方向外側に向かって突出した支持板６Ａと、支持板６Ａにおける方向に対向する両面のうち一方の面に固定された針保持板７Ａと、この針保持板７Ａの孔に埋め込まれた磁石Ｚとを有する。
【００３８】
また、漁具本体１２Ａ’は、支持棒３Ａ’と、支持棒３Ａ’に連結部４Ａ’を介して支持された丸棒５Ａ’と、丸棒５Ａ’の側面から丸棒５Ａ’の半径方向外側に向かって突出した支持板６Ａ’と、支持板６Ａ’における方向に対向する両面のうち一方の面に固定された針保持板７Ａ’と、この針保持板７Ａ’の孔に埋め込まれた磁石Ｚとを有する。
【００３９】
本実施形態の漁具１０Ａでは、漁具本体１２Ａ’の支持棒３Ａ’における丸棒５Ａ’を支持する部分の上下方向の位置は漁具本体１２Ａの支持棒３Ａにおける丸棒５Ａを支持する部分の上下方向の位置よりも高くなっている。
【００４０】
以上が、本実施形態の構成の詳細である。本実施形態では、複数の漁具本体１２における丸棒５を支持する部分の上下方向の位置が異なっている。このため、一方の漁具本体１２Ａ（または１２Ａ’）を他方の漁具本体１２Ａ’（または１２Ａ）に向けて回転させたとしても両者が干渉し合うことがない。従って、本実施形態によると、より多くの針Ｈが付けられた仕掛けを整然と保持することができる。
【００４１】
以上、本考案の第１及び第２実施形態について説明したが、かかる実施形態に以下の変形を加えてもよい。
（１）上記第１及び第２実施形態における各部の寸法の数値は例示に過ぎず、これと異なる寸法値を採用してもよい。
【００４２】
（２）上記第１実施形態では、漁具本体１２の個数は１つであった。しかし、台座１１の上に第１実施形態のものと同じ２つの漁具本体１２を左右に並べて配置してもよい。また、上記第２実施形態では、漁具本体の個数は２つであった。しかし、漁具本体の個数を３つ以上とし、これらの漁具本体の支持棒における丸棒を支持する部分の上下方向の位置を漁具本体毎に異ならせてもよい。
【００４３】
（３）上記第１及び第２実施形態では、漁具本体１２における針保持体は、丸棒５、支持板６、及び針保持板７から構成されていた。しかし、針保持体を磁性を帯びた部分を少なくとも一部に含む一本の棒とし、針Ｈのフック部８を針保持体たる棒に掛け且つ当該針Ｈの本体部９をこの棒の磁性を帯びた部分に吸着させて棒上に保持するようにしてもよい。また、針保持体を防錆性を持ったパイプ（たとえば、ステンレスパイプ）の中に磁石を詰め込んだものとし、針Ｈのフック部８を針保持体たるパイプに掛け且つ当該針Ｈの本体部９をこのパイプに吸着させてパイプ上に保持するようにしてもよい。また、針保持板７を磁石シートにより置き換えてもよい。
【００４４】
（４）上記第１及び第２実施形態において、台座１１、１１Ａを使わずに、漁具本体１２、１２Ａを漁船１００の船体の縁に直接固定するようにしてもよい。この実施形態では、漁具本体１２、１２Ａ、１２Ａ’における支持棒３、３Ａ、３Ａ’の下端部に固定具を装着し、この固定具を介して漁具本体１２、１２Ａ、１２Ａ’を船体の縁に固定するようにするとよい。また、漁船１００の船体の縁に上記実施形態のものよりも丈の短い支柱部を設け、この支柱部の穴の中に漁具本体１２、１２Ａ、１２Ａ’における支持棒３、３Ａ、３Ａ’を挿入するようにしてもよい。
【００４５】
（５）上記第１及び第２実施形態では、漁具本体１２の丸棒５における２つの丸棒縁部５２Ｌ、５２Ｒのうち任意の一方を連結部４の孔４’内に嵌め込めるようになっていた。しかし、丸棒５の一方の端部を連結部４に固定した構成としてもよい。
【００４６】
（６）上記第１及び第２実施形態において、揚縄作業において海から引き上げた曳縄の針Ｈを保持する棒を漁具本体１２の丸棒５と別に設け、揚縄作業用の棒に海から引き揚げた曳縄の針Ｈを順に掛け、すべての針Ｈを掛けた後にその棒を漁具本体１２に装着して投縄作業を行うようにしてもよい。
【００４７】
（７）上記第１及び第２実施形態では、丸棒５の中央部５１は中空になっており、縁部５２Ｌ、５２Ｒは中実になっていた。しかし、丸棒５の全体を中空にしてもよい。
【００４８】
（８）上記第１実施形態において、台座１１の基台部１から上方に向かって複数の支持棒を起立させ、この支持棒の先端に丸桶ＢＸの縁と同径の真円状の金具を設置し、この金具に丸桶ＢＸを保持するようにしてもよい。これによると、丸桶ＢＸの重みが台座１１にかかって台座１１が安定し、漁具１０が倒れにくくなる。また、この場合において、金具と支柱部２との間に補強材（例えば、金具の端部と支柱部２の側面に一端および他端が他端が固定された棒状の部材）を架設してもよい。これによると、支柱部２が補強材を介して台座１１の金具に支持されるため、支柱部２の保持強度が高くなる。
【００４９】
（９）上記第１及び第２実施形態では、丸棒５の中央部５１と縁部５２Ｌ及び５２Ｒはねじ機構（中央部５１の端部のネジＳＣと縁部５２Ｌ，５２Ｒの端部のネジ穴ＳＣ’）により連結されていた。しかし、丸棒５の中央部５１と縁部５２Ｌ及び５２Ｒを磁石により一体化するようにしてもよい。
【００５０】
（１０）上記第１及び第２実施形態では、針保持板７はポリ塩化ビニルにより形成されていた。しかし、針保持板７をポリ塩化ビニル以外の素材により形成してもよい。
【００５１】
（１１）上記第１及び第２実施形態では、針保持板７の面７５の下縁側の部分は三角柱状に切り欠かれてテーパ面７７を形成していた。しかし、針保持板７にテーパ面７７を設けなくてもよい。また、テーパ面７７の面７５に対する傾斜角度や形状はどのようになっていてもよい。
【００５２】
（１２）上記第１及び第２実施形態において、支柱部２に同部２の穴２’内の支持棒３の回転角度を保持する角度保持機構を設けてもよい。この角度保持機構は、支柱部２にその外周面と穴２’の間を貫通するネジ穴を設け、このネジ穴にネジを累合したものにするとよい。この構成では、支柱部２のネジ穴のネジを緩め、支柱部２の穴２’内の支持棒３を所望の角度に回転させた後にネジを締めなおすと、支持棒３の回転後の角度が保持される。また、この場合において、支持板３の回転角度を保持する機構として、ネジ機構以外の機構を用いてもよい。
【００５３】
（１３）上記第１及び第２実施形態は、本発明を太刀魚の曳縄漁の漁具に適用したものであった。しかし、本発明を、鯵、鯖、鮪などの他の種類の魚の曳縄漁の漁具に適用してもよい。この場合において、漁具の各部の寸法や形状を捕獲対象の魚の種類に応じて適宜変更してもよい。
【００５４】
（１４）上記第１及び第２実施形態において、丸棒５は、中央部５１、縁部５２Ｌ、縁部５２Ｒの３つの部材により形成され、中央部５１の一端部と縁部５２Ｌ、中央部５１の他端部と縁部５２Ｒの各々がネジ機構により連結されるようになっていた。しかし、丸棒部５を、中央部５１と縁部５２Ｌを合計した長さを持った長尺の棒体５１’及び縁部５２Ｒと同じ長さを持った短尺の棒体５２’の２つの部材により形成し、棒体５１’と棒体５２’をネジ機構により着離し得るようにしてもよい。ここで、上記実施形態におけるねじ機構をなすネジＳＣ及びＳＣ’の部分は中央部５１及び縁部５２Ｌ、縁部５２Ｒにおけるほかの部分よりも比重が重い。よって、丸棒５を棒体５１’及び５２’の２つの部材により形成することにより、丸棒５の可搬性及び強度を確保しつつ、丸棒５を軽量化することができる。
【００５５】
（１５）上記第１及び第２実施形態では、支持棒３の連結部４に漁具本体１２の丸棒５を装着した状態で投縄作業と揚縄作業の両作業を行った。しかし、揚縄作業用の丸棒保持台を準備し、揚縄作業前に漁具本体１２の丸棒５を連結部４から外して丸棒保持台に装着して揚縄作業を行うようにしてもよい。この場合において、丸棒保持台は、所謂刀掛けを模擬した構造（より具体的には、鏡対称をなす第１及び第２の保持板であって各々が下方向乃至斜め下方向に向かって凸んだ複数個の凸部を有する第１及び第２の保持板を長さＬ５よりも僅かに長い間隔を開けて対向配置した構造）のものにするとよい。この実施形態では、連結部４から外した漁具本体１２の丸棒５を、当該丸棒の縁部５２Ｌを第１の保持板の凸部に掛けるとともに縁部５２Ｒを第２の保持板の凸部に掛けるようにして両板上に置き、この状態で海から引き揚げた針Ｈの一つ一つを丸棒５に掛けて行く。そして、針Ｈの全てを丸棒５に掛けた後、丸棒５を連結部４に連結して投縄作業を行う。この実施形態によると、揚縄作業の作業負担をより軽減することができる。ここで、漁具１０における丸棒５の個数が複数である場合は、それらの丸棒５の各々を第１及び第２の保持板における同じ高さの凸部に掛けるようにするとよい。このようにすると、丸棒支持台の両保持板上に置かれた複数個の丸棒５の各々の向きが略水平になる。よって、揚縄作業中に２つの保持板上の丸棒５が一方の保持板の側に滑って保持板から外れてしまう、という事態の発生が防止される。
【符号の説明】
【００５６】
１…基台部、２…支柱部、３…支持棒、４…連結部、５…丸棒、６…支持板、７…針保持板、１０…漁具、１１…台座、１２…漁具本体、５１…中央部、５２…縁部、１００…漁船。
【図１】
0003182965.tif 000003
【図４】
0003182965.tif 000004
【図６】
0003182965.tif 000005
【図７】
0003182965.tif 000006
【図８】
0003182965.tif 000007
【図２】
0003182965.tif 000008
【図３】
0003182965.tif 000009
【図５】
0003182965.tif 000010